(57)【要約】      （修正有）【課題】トレイがクローズしているときにドライバＩＣの誤動作があってもトレイが出ることを防止でき、ディスクの飛び出しを防止できるトレイ飛び出し防止構造を提供する。    【解決手段】トレイ３が装置本体１内に入り込んでいるときに、このトレイ３の飛び出しをロックするようにしたロック機構４が設けられ、このロック機構４は、トレイ３が装置本体１内に入り込んでいるときの状態を検出する検出機構と連動するモータ５と、このモータ５によって回転するギヤ群６と、このギヤ群６の外側に位置され、端部の歯部がギヤ群６の歯部と噛み合っているロック爪部７とで構成され、トレイ３が装置本体１に入り込んでいることを検出機構で検出されたときに、モータ５が回転駆動されてギヤ群６が回転され、このギヤ群６と歯部が噛み合っているロック爪部７の先端部分がトレイ３の前面側に位置するように回転動作されてディスクＤの飛び出しを阻止するように構成した。【選択図】図１
2006048730.tif 000002
【特許請求の範囲】
【請求項１】
トレイが装置本体内に入り込んでいる際に、誤動作により前記トレイが飛び出すことを防ぐようにしたトレイ飛び出し防止構造であって、前記トレイが装置本体内に入り込んでいるときに、このトレイの飛び出しをロックするようにしたロック機構が設けられ、このロック機構は、トレイが装置本体内に入り込んでいるときの状態を検出する検出機構と連動するモータと、このモータによって回転するギヤ群と、このギヤ群の外側に位置され、端部の歯部が前記ギヤ群の歯部と噛み合っているロック爪部とで構成され、前記トレイが装置本体に入り込んでいることを検出機構で検出されたときに、前記モータが回転駆動されて前記ギヤ群が回転され、このギヤ群と歯部が噛み合っているロック爪部の先端部分が前記トレイの前面側に位置するように回転動作されてディスクの飛び出しを阻止するように構成したことを特徴とするトレイ飛び出し防止構造。
【請求項２】
トレイが装置本体内に入り込んでいる際に、誤動作により前記トレイが飛び出すことを防ぐようにしたトレイ飛び出し防止構造であって、前記トレイが装置本体内に入り込んでいるときに、このトレイの飛び出しをロックするようにしたロック機構が設けられていることを特徴とするトレイ飛び出し防止構造。
【請求項３】
前記ロック機構は、前記トレイが装置本体内に入り込んだときにその飛び出しを阻止するロック爪部を有し、このロック爪部は、前記トレイの先端側の下部内に入り込むように構成した請求項２に記載のトレイ飛び出し防止機構。
【請求項４】
前記ロック機構は、前記トレイが装置本体内に入り込んだときにその飛び出しを阻止するロック爪部を有し、このロック爪部は、前記トレイの後端側の下部内に入り込むように構成した請求項２に記載のトレイ飛び出し防止構造。
【発明の詳細な説明】
【技術分野】
【０００１】
本発明は、トレイが装置本体内に入り込んでいる際に、誤動作により前記トレイが飛び出すことを防ぐようにしたトレイ飛び出し防止構造に関するものである。
【背景技術】
【０００２】
従来、トレイをオープン・クローズするには、図５に示すように、キー入力部１０１のキーを押すことによって、ＣＰＵ１０２を介してドライバＩＣ１０３が動作してモータ１０４が駆動して、トレイのオープン・クローズ動作を行っていた。ところが、信号や電源、グランドラインのショート等の不具合によって、ドライバＩＣ１０３が誤動作してオープンキーを押していないのに、トレイがオープンしてしまうことがあるという問題があった。
【０００３】
第１の従来技術を図６（ａ）（ｂ）（ｃ）に示す。これは、図６（ａ）（ｂ）（ｃ）に示すように、記録媒体搬送経路の開閉装置２０１は開閉扉２１３と扉用歯車２１５とストッパ扉２１４とストッパ用カム２１６とを備えている。開閉扉２１３は歯車２２１を備え記録媒体挿入口を開閉自在である。扉用歯車２１５は歯車２２１と噛み合っている。扉用歯車２１５は開閉扉２１３が閉まる方向に付勢されている。ストッパ扉２１４は記録媒体挿入口を開閉自在である。ストッパ用カム２１６は回転自在である。ストッパ用カム２１６はストッパ扉２１４と連動して回転する。ストッパ用カム２１６はストッパ扉２１４が閉まる方向に付勢されている。開閉扉２１３とストッパ扉２１４とは互いに独立して記録媒体挿入口を開閉する。（例えば、特許文献１参照）。
【０００４】
ところが、これにおいては、誤動作したときに開閉扉２１３とストッパ扉２１４がトレイとオープン・クローズが連動しているために、開閉扉２１３と２１４がオープンして記録媒体が出てくる場合があった。
【特許文献１】特開２００２−２６０３１８号公報
【発明の開示】
【発明が解決しようとする課題】
【０００５】
本発明は上記従来の問題に鑑みてなされたものであって、トレイがクローズしているときにドライバＩＣの誤動作があってもトレイが出てくることを防止することができ、ディスクの飛び出しを防止できるトレイ飛び出し防止構造を提供することを目的としている。      
【課題を解決するための手段】
【０００６】
本発明は、上記課題を解決するために提案されたものであって、請求項１に記載の発明は、トレイが装置本体内に入り込んでいる際に、誤動作により前記トレイが飛び出すことを防ぐようにしたトレイ飛び出し防止構造であって、前記トレイが装置本体内に入り込んでいるときに、このトレイの飛び出しをロックするようにしたロック機構が設けられ、このロック機構は、トレイが装置本体内に入り込んでいるときの状態を検出する検出機構と連動するモータと、このモータによって回転するギヤ群と、このギヤ群の外側に位置され、端部の歯部が前記ギヤ群の歯部と噛み合っているロック爪部とで構成され、前記トレイが装置本体に入り込んでいることを検出機構で検出されたときに、前記モータが回転駆動されて前記ギヤ群が回転され、このギヤ群と歯部が噛み合っているロック爪部の先端部分が前記トレイの前面側に位置するように回転動作されてディスクの飛び出しを阻止するように構成したことを特徴としている。
【０００７】
請求項２に記載の発明は、トレイが装置本体内に入り込んでいる際に、誤動作により前記トレイが飛び出すことを防ぐようにしたトレイ飛び出し防止構造であって、前記トレイが装置本体内に入り込んでいるときに、このトレイの飛び出しをロックするようにしたロック機構が設けられていることを特徴としている。
【０００８】
請求項３に記載の発明は、前記ロック機構は、前記トレイが装置本体内に入り込んだときにその飛び出しを阻止するロック爪部を有し、このロック爪部は、前記トレイの先端側の下部内に入り込むように構成した。
【０００９】
請求項４に記載の発明は、前記ロック機構は、前記トレイが装置本体内に入り込んだときにその飛び出しを阻止するロック爪部を有し、このロック爪部は、前記トレイの後端側の下部内に入り込むように構成した。
【発明の効果】
【００１０】
請求項１に記載の発明によれば、トレイが装置本体内に入り込んでいるときには、ロック爪部が、誤動作によってトレイが出てくることを阻止するので、ディスクが飛び出すことを防止することができる。
【００１１】
請求項２に記載の発明によれば、トレイが装置本体内に入り込んでいるときには、ロック機構で、誤動作によってトレイが出てくることを阻止するので、ディスクが飛び出すことを防止することができる。
【００１２】
請求項３に記載の発明によれば、トレイが装置本体内に入り込んでいるときには、ロック爪部がトレイの先端側の下部内に入り込んでいるので、誤動作によってトレイが出てくることを阻止することができて、ディスクの飛び出しを防止することができる。
【００１３】
請求項４に記載の発明によれば、トレイが装置本体内に入り込んでいるときには、ロック爪部がトレイの後端側の下部内に入り込んでいるので、誤動作によってトレイが出てくることを阻止することができて、ディスクの飛び出しを防止することができる。
【発明を実施するための最良の形態】
【００１４】
以下、本発明に係るトレイ飛び出し防止構造の実施の形態について、図を参照しつつ説明する。
【００１５】
図１は本発明のトレイ飛び出し防止構造を示し、（ａ）はその要部を示す斜視図、（ｂ）はトレイが装置本体内に入り込んでロック爪部でロックされている状態を示す概略断面図、図２は同構造のブロック図である。
【００１６】
本実施形態のトレイ飛び出し防止構造は、図１（ａ）（ｂ）に示すように、筐体からなる装置本体１の前部に開閉扉２が設けられ、ディスクＤをセットしたトレイ３が開閉扉２が開閉されることによって、装置本体１内に出し入れされるようになっている。トレイ３が装置本体１内に入り込んでいるときには、ロック機構４によって誤動作によるトレイ３が出ることを阻止している。
【００１７】
このロック機構４は、トレイ３が装置本体１内に入り込んでいるときの状態を検出する検出機構（図示略）と連動するモータ５と、このモータ５によって回転する２個のギヤ６ａ、６ｂからなるギヤ群６と、このギヤ群６の外側に位置され、端部の歯部がギヤ群６の歯部と噛み合っているロック爪部７、７とで構成されている。
【００１８】
また、図２に示すように、キー入力部８がＣＰＵ９に接続され、このＣＰＵ９がドライバＩＣ１０とモータ５に接続されている。ドライバＩＣ１０はトレイ動作を行うモータ１１に接続されている。また、前記したモータ５はロック機構４を動作するものである。
【００１９】
従って、トレイ３が装置本体１内に入り込んでいるときには、モータ５の駆動によってギヤ群６の回転でロック爪部７がトレイ３の前部に位置されるので、ドライバＩＣ１０の誤動作によってトレイ３が装置本体１内から出ようとしても、このロック爪部７で阻止される。このことによって、トレイ３が装置本体１内に入り込んでいるときには、ロック爪部７が、誤動作によってトレイ３が出てくることを阻止して、ディスクＤが飛び出すことを防止することができる。
【００２０】
図３は同構造の別例のロック機構の一部を示す概略断面図である。
【００２１】
この別例では、図３に示すように、トレイ３の先端側の下部内に縦溝部３ａが形成されていて、トレイ３が装置本体１内に入り込んでいるときに、この縦溝部３ａにロック爪部７が係入されている。従って、トレイ３が装置本体１内に入り込んでいるときには、ロック爪部７がトレイ３の先端側の下部内の縦溝部３ａに入り込んでいるので、誤動作によってトレイ３が出てくることを阻止することができて、ディスクＤの飛び出しを防止することができる。
【００２２】
図４は同構造の更に別例のロック機構の一部を示す概略断面図である。
【００２３】
この更なる別例では、図４に示すように、トレイ３の後端側の下部内に縦溝部３ｂが形成されていて、トレイ３が装置本体１内に入り込んでいるときに、この縦溝部３ｂにロック爪部７が係入されている。従って、トレイ３が装置本体１内に入り込んでいるときには、ロック爪部７がトレイ３の後端側の下部内の縦溝部３ｂに入り込んでいるので、誤動作によってトレイ３が出てくることを阻止することができて、ディスクＤの飛び出しを防止することができる。
【図面の簡単な説明】
【００２４】
【図１】本発明のトレイ飛び出し防止構造を示し、（ａ）はその要部を示す斜視図、（ｂ）はトレイが装置本体内に入り込んでロック爪部でロックされている状態を示す概略断面図である。
【図２】同構造のブロック図である。
【図３】同構造の別例のロック機構の一部を示す概略断面図である。
【図４】同構造の更に別例のロック機構の一部を示す概略断面図である。
【図５】従来のトレイがオープン・クローズする動作のためのブロック図である。
【図６】従来の記録媒体搬送経路の開閉装置を示し、（ａ）はその開閉装置を備えたＣＤチェンジャの斜視図、（ｂ）はその開閉扉とストッパ扉などを示す斜視図、（ｃ）はその部分拡大斜視図である。
【符号の説明】
【００２５】
Ｄ        ディスク
１        装置本体
２        開閉扉
３        トレイ
３ａ      先端側の縦溝部
３ｂ      後端側の縦溝部
４        ロック機構
５        モータ
６        ギヤ群
６ａ      ギヤ
６ｂ      ギヤ
７        ロック爪部
８        キー入力部
９        ＣＰＵ
１０      ドライバＩＣ
１１      モータ
【図１】
2006048730.tif 000003
【図２】
2006048730.tif 000004
【図３】
2006048730.tif 000005
【図４】
2006048730.tif 000006
【図５】
2006048730.tif 000007
【図６】
2006048730.tif 000008